(57)【特許請求の範囲】
【請求項１】
段ボール板からなり、中央に被包装物１の左右両側の何れか一方を嵌入させる開口部４が形成され横方向に長く上下方向に向く中央の板部５と、この中央の板部５の下端に連設された底板部６と、また中央の板部５の上端に連設された上板部７と、前記底板部６に連設され前記中央の板部５と平行で上下方向に向き中央の板部５よりも幅の小さな背面側の板部８と、前記上板部７に連設され前記中央の板部５と平行で上下方向に向き中央の板部５よりも幅が小さく前記背面側の板部８の外側に重なって背面側の板部８に係止される背面側の板部９と、前記背面側の板部８および背面側の板部９の少なくとも何れかの長さ方向両端に連設され先端が前記中央の板部５の内面側に当接する板部11およびまたは13と、この板部11およびまたは13の先端に連設され前記中央の板部５の内面側に重なる板部12およびまたは14と、前記板部11と板部12およびまたは板部13と板部14とにまたがって形成された開口部15およびまたは16と、これら開口部15およびまたは16に嵌り込むように前記中央の板部５の開口部４の長さ方向両端近傍に押し込み可能に連設されたＬ型の板部17とを備え、前記開口部４の内方に被包装物１の側部を嵌入させる凹部23が形成されてなることを特徴とする段ボール板製緩衝体。
【発明の詳細な説明】
【０００１】
【発明の属する技術分野】
本発明は、例えばテレビジョン受像機に接続されて使用されるチューナーなどの被包装物を段ボール板製包装箱に収納する際に使用される段ボール板製緩衝体に関するものである。
【０００２】
【従来の技術】
従来から電気機器類などの被包装物を段ボール板製包装箱に収納する際に使用される緩衝体としては、主として発泡スチロールからなる緩衝体が使用されている。
【０００３】
このような発泡スチロール製の緩衝体を使用後に焼却処理したとき、公害煙が発生すること、および焼却炉が焼却により発生する熱により傷み、寿命が短いことなどが原因で、発泡スチロール製の緩衝体に代わる緩衝体が検討されつつある。
【０００４】
【発明が解決しようとする課題】
本発明はこのような課題を解決するもので、電気機器類などの被包装物を緩衝保護するために組み立て容易で、緩衝保護効果に優れた緩衝体を提供することを目的とするものである。
【０００５】
【課題を解決するための手段】
この課題を解決するために本発明は、段ボール板からなり、中央に被包装物１の左右両側の何れか一方を嵌入させる開口部４が形成され横方向に長く上下方向に向く中央の板部５と、この中央の板部５の下端に連設された底板部６と、また中央の板部５の上端に連設された上板部７と、前記底板部６に連設され前記中央の板部５と平行で上下方向に向き中央の板部５よりも幅の小さな背面側の板部８と、前記上板部７に連設され前記中央の板部５と平行で上下方向に向き中央の板部５よりも幅が小さく前記背面側の板部８の外側に重なって背面側の板部８に係止される背面側の板部９と、前記背面側の板部８および背面側の板部９の少なくとも何れかの長さ方向両端に連設され先端が前記中央の板部５の内面側に当接する板部11およびまたは13と、この板部11およびまたは13の先端に連設され前記中央の板部５の内面側に重なる板部12およびまたは14と、前記板部11と板部12およびまたは板部13と板部14とにまたがって形成された開口部15およびまたは16と、これら開口部15およびまたは16に嵌り込むように前記中央の板部５の開口部４の長さ方向両端近傍に押し込み可能に連設されたＬ型の板部17とを備え、前記開口部４の内方に被包装物１の側部を嵌入させる凹部23が形成されてなることを要旨とするものである。
【０００６】
この構成により、電気機器類などの被包装物の緩衝体として、組み立て容易で使用後に焼却処理したときに公害煙の発生などの心配なく、緩衝効果に優れた段ボール板製の緩衝体を提供することができる。
【０００７】
【発明の実施の形態】
以下、本発明の一実施の形態について、図面に基づいて説明する。
図１〜図７において、１はテレビジョン受像機に接続されて使用されるチューナー（以下、被包装物と称す）であって、その左右両側が図１に示すようにカットしてなる展開状態の段ボール板を組み立てることにより作られた緩衝体２により保護され、段ボール板製の包装箱３に入れられて包装される。
【０００８】
前記緩衝体２について詳細に説明すると、緩衝体２はそれぞれ１枚の段ボール板を組み立てることにより作られており、中央に前記被包装物１の左右両側の何れか一方を嵌入させる開口部４が形成され横方向に長く上下方向に向く中央の板部５と、この中央の板部５の下端に連設された底板部６と、またこの中央の板部５の上端に連設された上板部７と、前記底板部６に連設され前記中央の板部５と平行で上下方向に向き中央の板部５よりも幅の小さな背面側の板部８と、前記上板部７に連設され前記中央の板部５と平行で上下方向に向き中央の板部５よりも幅が小さく前記背面側の板部８よりも幅が少し大きく前記背面側の板部８の外側に重なる背面側の板部９と、前記中央の板部５の長さ方向両端にこの中央の板部５の長さ方向両端内面に重なるように連設された板部10と、前記背面側の板部８の長さ方向両端に連設され先端が前記板部10の背面に当接する板部11と、この板部11の先端に連設され前記板部10の背面に重なる板部12と、前記背面側の板部９の長さ方向両端に板部９に対して９０度よりやや小さい角度で折れ曲がるように連設され先端が前記板部11の外面に当接する板部13と、この板部13の先端に連設され先端が前記板部12の先端に合致するように前記板部12の背面にほぼ重なる板部14と、前記板部11と板部12とにまたがって形成された開口部15および板部13と板部14とにまたがって形成された開口部16と、これら開口部15および開口部16に同時に嵌り込むように前記中央の板部５の開口部４の長さ方向両端近傍に押し込み可能に連設されたＬ型の板部17と、前記開口部４の長さ方向中央における上下両端に開口部４内方に押し込まれるように連設された板部18，19と、前記中央の板部５の開口部４の上側で長さ方向中央に中央の板部５と上板部７とにまたがって押し込み可能に形成されたＬ型の板部20とを備えている。さらに詳しくは、前記背面側の板部９の下端には前記底板部６と前記背面側の板部８との繋がり部に形成されたスリット21に嵌入して係止する差し込み片22が設けられている。また、前記開口部４の内方に被包装物１の側部を嵌入させる凹部23が形成されている。さらに、この凹部23内の両側において前記中央の板部５とＬ型の板部17にまたがって細幅の開口部24が形成されている。なお、開口部４の下端には被包装物１の下端の脚１ａが嵌入する凹部25が形成されている。
【０００９】
図４および図５に組み立て完成された緩衝体２が図示され、この緩衝体２は２つ用意されて、互いに対向する凹部23内に被包装物１の両側部を嵌入させた状態で段ボール板製の包装箱３に入れられて包装される。図６および図７に被包装物１の両側部を２つの互いに対向する緩衝体２の凹部23内に嵌入させた状態を示し、被包装物１は緩衝体２の凹部23内において側部が前記板部11，12および板部13，14上に載るとともに、前記Ｌ型の板部17に当接し、また被包装物１の下端の脚１ａが凹部25に嵌入し、さらに被包装物１の前端もしくは後端に突出する操作釦などの凸部は前記開口部24に嵌入されるように構成されている。このようにして被包装物１は両側部が２つの緩衝体２に保護された状態で段ボール板製の包装箱３に入れられ包装される。なお、必要に応じて前記中央の板部５と上板部７とにまたがって形成されているＬ型の板部20の部分に付属品26などが収納される。
【００１０】
ところで、本発明の一実施の形態の緩衝体２は前記背面側の板部８と背面側の板部９は上下方向の寸法がほぼ同じであるが、何れか一方を極端に短くし、組み立て完成状態において両板部８，９を互いに係合させるようにすれば良い。また、前記板部13の先端が板部11の外面に当接し、板部13の先端に連設された板部14が板部12の背面に対し緩やかな角度で傾斜し先端が板部12の背面に当接しているが、板部13と板部11および板部14と板部12は互いに完全に重なるように構成されていても良い。
【００１１】
【発明の効果】
以上のように本発明によれば、電気機器類などの被包装物の緩衝体として、組み立て容易で使用後に焼却処理したときに公害煙の発生などの心配なく、緩衝効果に優れた段ボール板製の緩衝体を提供することができる。
【図面の簡単な説明】
【図１】本発明の一実施の形態における段ボール板製緩衝体の展開図である。
【図２】同段ボール板製緩衝体の組み立て途中の状態を示す斜視図である。
【図３】同段ボール板製緩衝体のさらに進んだ組み立て途中の状態を示す斜視図である。
【図４】同段ボール板製緩衝体の組み立て完成状態を正面から見た状態を示す斜視図である。
【図５】同段ボール板製緩衝体の組み立て完成状態を背面から見た状態を示す斜視図である。
【図６】同段ボール板製緩衝体に被包装物の完成使用状態を示す斜視図である。
【図７】同段ボール板製緩衝体に被包装物をセットした状態を示す要部拡大断面図である。
【符号の説明】
１                            被包装物
２                            緩衝体
３                            包装箱
４                            開口部
５                            中央の板部
６                            底板部
７                            上板部
８，９                        背面側の板部
１０，１１，１２，１３，１４    板部
１５，１６                      開口部
１７，１８，１９，２０          板部
２１                            スリット
２２                            差し込み片
２３                            凹部
【図１】
0003746325.tif 000002
【図２】
0003746325.tif 000003
【図３】
0003746325.tif 000004
【図４】
0003746325.tif 000005
【図５】
0003746325.tif 000006
【図６】
0003746325.tif 000007
【図７】
0003746325.tif 000008